(57)【要約】【課題】表示部の画面上でのタッチ操作の都度、そのタッチ操作の位置に応じて操作部の位置が変わっても、実際に視認することなく画面上において操作部の位置を把握し易い「操作入力装置」を提供することである。【解決手段】基操作ボタン（１３１〜１３４）と、該基操作ボタンの操作がなされつつタッチされた前記表示部の画面上の位置を基準タッチ位置とし、該基準タッチ位置に対して所定の位置関係にある一又は複数の位置のそれぞれに操作部を設定する操作部設定手段（Ｓ１６）と、前記基操作ボタンの操作がなされつつ前記操作部設定手段にて設定された操作部のタッチ操作がなされたときに、当該操作部の画面上での位置に対応付けられた操作情報を出力させる操作情報出力制御手段（Ｓ２０）とを有する構成となる。【選択図】図２
2013257688.tif 000002
【特許請求の範囲】
【請求項１】
表示部の画面上に設定された操作部のタッチ操作がなされたときに、当該操作部の画面上での位置に対応付けられた操作情報を出力する車載操作入力装置であって、
基操作ボタンと、
該基操作ボタンの操作がなされつつタッチされた前記表示部の画面上の位置を基準タッチ位置とし、該基準タッチ位置に対して所定の位置関係にある一又は複数の位置のそれぞれに操作部を設定する操作部設定手段と、
前記基操作ボタンの操作がなされつつ前記操作部設定手段にて設定された操作部のタッチ操作がなされたときに、当該操作部の画面上での位置に対応付けられた操作情報を出力させる操作情報出力制御手段とを有する操作入力装置。
【請求項２】
前記操作部設定手段は、少なくとも、前記基準タッチ位置と同一直線上にあって、該基準タッチ位置を挟む２つの位置のそれぞれに前記操作部を設定する請求項１記載の操作入力装置。
【請求項３】
前記操作部設定手段は、前記基準タッチ位置にて交差する２つの直線のそれぞれの上にあって、該基準タッチ位置を挟む２つの位置のそれぞれに前記操作部を設定する請求項２記載の操作入力装置。
【請求項４】
前記表示部の画面は矩形形状であって、
前記基準タッチ位置にて交差する前記２つの直線は、前記表示部の画面の縦方向及び横方向に延びる直線である請求項３記載の操作入力装置。
【請求項５】
前記基準タッチ位置にて交差する２つの直線の一方は、前記基操作ボタンと前記基準タッチ位置とを結ぶ直線の延びる方向に延びる直線である請求項３記載の操作入力装置。
【請求項６】
前記基操作ボタンは、前記表示部の画面の外に設けられた機械式スイッチである請求項１乃至５のいずれかに記載の操作入力装置。
【請求項７】
前記基操作ボタンは、前記表示部の画面の下端縁に隣接した部位に設けられている請求項６記載の操作入力装置。
【発明の詳細な説明】
【技術分野】
【０００１】
本発明は、所謂タッチパネル式の操作入力装置であって、詳しくは、表示部の画面上に設定された操作部のタッチ操作がなされたときに、当該操作部の画面上での位置に対応付けられた操作情報を出力する操作入力装置に関する。
【背景技術】
【０００２】
従来、特許文献１に記載されるような操作入力装置が知られている。この操作入力装置では、表示部の画面（入出力部）上でタッチ操作がなされると、そのタッチ操作位置を中心とした周囲の領域に、機能選択メニューを表す複数の機能ボタンが表示される。そして、前記複数の機能ボタンのそれぞれには、機能（メインメニュー表示、カーナビゲーション設定、エアコン設定、キャンセル、オーディオ設定等）が設定されており、その複数の機能ボタンのいずれかのタッチ操作がなされると、その操作のなされた機能ボタンに割り付けられた機能が有効になる。このような操作入力装置によれば、画面上にタッチした位置を中心とした領域に操作入力のためのボタンが設定されるので、個々の利用者は、自分の操作のし易い位置での機能ボタンを用いた入力操作を行うことができるようになる。
【先行技術文献】
【特許文献】
【０００３】
【特許文献１】特開２０１０−２２４６８４号公報
【発明の概要】
【発明が解決しようとする課題】
【０００４】
しかしながら、前述した従来の操作入力装置では、表示部の画面上でのタッチ操作の都度、そのタッチ操作の位置に応じて複数の機能ボタンを含む機能選択メニューの表示位置が変わるので、実際に視認することなく画面上において機能ボタン（操作部）の位置を把握することが難しい。このため、複数の機能ボタン（操作部）のブラインドタッチ操作が難しい。
【０００５】
本発明は、このような事情に鑑みてなされたもので、表示部の画面上でのタッチ操作の都度、そのタッチ操作の位置に応じて操作部の位置が変わっても、実際に視認することなく画面上において操作部の位置を把握し易い操作入力装置を提供するものである。
【課題を解決するための手段】
【０００６】
本発明に係る操作入力装置は、表示部の画面上に設定された操作部のタッチ操作がなされたときに、当該操作部の画面上での位置に対応付けられた操作情報を出力する車載操作入力装置であって、基操作ボタンと、該基操作ボタンの操作がなされつつタッチされた前記表示部の画面上の位置を基準タッチ位置とし、該基準タッチ位置に対して所定の位置関係にある一又は複数の位置のそれぞれに操作部を設定する操作部設定手段と、前記基操作ボタンの操作がなされつつ前記操作部設定手段にて設定された操作部のタッチ操作がなされたときに、当該操作部の画面上での位置に対応付けられた操作情報を出力させる操作情報出力制御手段とを有する構成となる。
【０００７】
このような構成により、基操作ボタンの操作がなされつつ表示部の画面がタッチされると、画面上においてそのタッチのなされた位置が基準タッチ位置となって、その基準タッチ位置に対し所定の位置関係にある一又は複数の位置のそれぞれに操作部が設定される。そして、前記基操作ボタンの操作がなされつつ前記設定された操作部のタッチ操作がなされると、該操作部の画面上での位置に対応付けられた操作情報が出力される。利用者は、例えば、親指で基操作ボタンを操作しつつ、該親指を支点として動かすことのできる、他の指、例えば、人差し指にて表示部の画面上でのタッチ操作を行うことで、前記操作部の設定及び該操作部に対する操作を行うことができる。
【０００８】
本発明に係る操作入力装置において、前記操作部設定手段は、少なくとも、前記基準タッチ位置と同一直線上にあって、該基準タッチ位置を挟む２つの位置のそれぞれに前記操作部を設定する構成とすることができる。
【０００９】
このような構成により、基操作ボタンを操作しつつ表示部の画面においてタッチした位置である基準タッチ位置と同一直線上にあって、該基準タッチ位置を挟む２つの位置のそれぞれに操作部が設定されるので、利用者は、例えば、基操作ボタンの操作を行う親指を支点にして動かすことのできる、他の指、例えば、人差し指で表示部の画面をタッチした感覚をもった状態で、更に、親指を支点にして人差し指を動かして前記タッチした位置（基準タッチ位置）と同一直線上にあってそのタッチした位置（基準タッチ位置）を挟む２つの位置のそれぞれに設定される操作部のタッチ操作を行うことができる。
【００１０】
また、本発明に係る操作入力装置において、前記操作部設定手段は、前記基準タッチ位置にて交差する２つの直線のそれぞれの上にあって、該基準タッチ位置を挟む２つの位置のそれぞれに前記操作部を設定する構成とすることができる。
【００１１】
このような構成により、基操作ボタンを操作しつつ表示部の画面においてタッチした位置である基準タッチ位置にて交差する２つの直線のそれぞれの上にあって、該基準タッチ位置を挟む２つの位置のそれぞれに操作部が設定されるので、利用者は、例えば、基操作ボタンの操作を行う親指を支点にして動かすことのできる、他の指、例えば、人差し指で表示部の画面をタッチした感覚をもった状態で、更に、親指を支点にして人差し指を動かして前記タッチした位置（基準タッチ位置）で交差する２つの直線のそれぞれにあって、そのタッチした位置（基準タッチ位置）を挟む２つの位置のそれぞれに設定される操作部のタッチ操作を行うことができる。
【００１２】
また、本発明に係る操作入力装置において、前記表示部の画面は矩形形状であって、前記基準タッチ位置にて交差する前記２つの直線は、前記表示部の画面の縦方向及び横方向に延びる直線である構成とすることができる。
【００１３】
このような構成により、基操作ボタンを操作しつつ表示部の画面においてタッチした位置である基準タッチ位置にて交差する２つの直線が、表示部の矩形形状となる画面の縦方向及び横方向に延び、それぞれの直線上において前記基準タッチ位置を挟む２つの位置に操作部が設定されるので、操作部の位置を感覚的に把握し易くなる。
【００１４】
更に、本発明に係る操作入力装置において、前記基準タッチ位置にて直交する２つの直線の一方は、前記基操作ボタンと前記基準タッチ位置とを結ぶ直線の延びる方向に延びる直線である構成とすることができる。
【００１５】
このような構成により、基操作ボタンを操作しつつ表示部の画面においてタッチした位置である基準タッチ位置にて交差する２つの直線のうちの一方が、前記操作ボタンと前記基準タッチ位置とを結ぶ直線の延びる方向に延びる直線であるので、２つの直線上のそれぞれに前記基準タッチ位置を挟んで配置される操作部の位置を更に感覚的に把握し易くなる。
【００１６】
また、本発明に係る操作入力装置において、前記基操作ボタンは、前記表示部の画面の外に設けられた機械式スイッチである構成とすることができる。
【００１７】
このような構成により、基操作ボタンが、表示部の画面の外側に設けられた機械式スイッチであるので、利用者は、例えば、親指を支点にして動かすことにできる、他の指、例えば、人差し指により画面の種々のタッチ操作を行う際に、その親指にて基操作ボタンを確実に操作し続けることができる。
【００１８】
また、本発明に係る操作入力装置において、前記基操作ボタンは、前記表示部の画面の下端縁に隣接した部位に設けられている構成とすることができる。
【００１９】
このような構成により、基操作ボタンが、表示部の画面の下端縁に隣接した部位に設けられているので、利用者は、例えば、親指で基操作ボタンを操作しつつ、該親指を支点にして動かすことのできる、他の指、例えば、人差し指を画面の下端縁に隣接した部位から当該画面内に伸ばしてタッチ操作を行うことができる。
【発明の効果】
【００２０】
本発明の操作入力装置によれば、利用者は、例えば、基操作ボタンの操作を行う親指を支点にして動かすことのできる、他の指、例えば、人差し指で表示部の画面の基準タッチ位置となるべき位置をタッチした感覚をもった状態で、更に、親指を支点にして人差し指を動かして前記タッチした位置（基準タッチ位置）と所定の位置関係にある操作部のタッチ操作を行うことができるので、表示部の画面上でのタッチ操作の都度、そのタッチ操作の位置（基準タッチ位置）に応じて操作部の位置が変わっても、実際に視認することなく画面上において操作部の位置を把握することがし易くなる。
【図面の簡単な説明】
【００２１】
【図１】本発明の実施の形態に係る操作入力装置が適用される車載機器の構成を示すブロック図である。
【図２】操作入力装置の処理の流れを示すフローチャートである。
【図３】表示部の画面に設定される操作部の一例を示す図である。
【図４】操作部のタッチ操作（その１）を示す図である。
【図５】操作部のタッチ操作（その２）を示す図である。
【図６】操作部のタッチ操作（その３）を示す図である。
【図７】操作部のタッチ操作（その４）を示す図である。
【図８】表示部の画面に設定される操作部の他の一例を示す図である。
【図９】表示部の画面に設定される操作部の更に他の一例を示す図である。
【発明を実施するための形態】
【００２２】
以下、本発明の実施の形態について図面を用いて説明する。
【００２３】
本発明の実施の一形態に係る操作入力装置が適用される車載機器は、図１に示すように構成されている。
【００２４】
図１において、この車載機器１００は、コンピュータユニット（例えば、ＣＰＵを含む）によって構成される処理ユニット１１を有し、液晶（ＬＣＤ）を用いた表示部１２及び表示部１２の画面１２ａを利用する操作入力装置１３が接続されている。また、処理ユニット１１には、各種音源及び映像源（例えば、ＣＤ、ＤＶＤ等）の再生処理が可能なＡＶユニット１７、自車両のルート案内等のナビゲーション処理を行うナビゲーションユニット１８、及びスピーカ１６と接続される出力回路１５が接続されており、処理ユニット１１の制御のもと、ＡＶユニット１７及びナビゲーションユニット１８の処理に基づいた音声信号が出力回路１５を介してスピーカ１６から出力される。加えて、処理ユニット１１には、ＡＶユニット１７及びナビゲーションユニット１８にて利用される楽曲情報や地図情報等の各情報が記憶される記憶部１４（例えば、ハードディスク）が接続されている。
【００２５】
操作入力装置１３は、表示部１２の矩形形状の画面１２ａに重ねられたタッチパネル１３ｂを備えており、詳細については後述するように、画面１２ａ上でのタッチ位置に対応付けられた操作情報を出力し得る。表示部１２の画面１２ａの外側であって、画面１２ａの下端縁に隣接した部位に、４つの基操作ボタン１３１、１３２、１３３、１３４が配列されている。各基操作ボタン１３１、１３２、１３３、１３４は、プッシュ操作が可能な機械式スイッチであって、基操作ボタン１３１（Ｍａｐ）には、地図に関する機能が割り当てられ、基操作ボタン１３２（Ｎａｖｉ）には、車両ナビゲーションに関する機能が割り当てられ、基操作ボタン１３３（Ｓｏｕｒｃｅ）には、オーディオ情報等の各種情報が記憶されたメディア（ＤＶＤ、ＤＶ、ＳＤ、ＵＳＢメモリ、ＨＤＤ）等に関する機能が割り当てられている。また、基操作ボタン１３４（ＵＰ／ＤＮ）には、動作モードに応じた２つの機能が動的に割り当てられ、例えば、ナビモードであれば、地図拡大（ＵＰ）及び地図縮小（ＤＮ）の２つの機能が割り当てられ、また、例えば、ＡＶモードであれば、前の曲や映像へのスキップ（ＵＰ）、後の曲や映像へのスキップ（ＤＮ）の２つの機能が割り当てられる。
【００２６】
処理ユニット１１は、これら各基操作ボタン１３１〜１３４に割り当てられた機能について認識している。また、処理ユニット１１の制御のもと、表示部１２の画面１２ａには、ＡＶユニット１７の処理に基づいた映像、ナビゲーションユニット１８の処理に基づいた地図等の画像、処理ユニット１１での処理により生成された各種情報が表示され得る。処理ユニット１１は、操作入力装置１３から、後述するようなタッチパネル１３ａでのタッチ操作に基づいて出力される操作情報に基づいて、各種処理を実行する。
【００２７】
操作入力装置１３では、処理ユニット１１の制御のもと、図２に示すような手順に従って処理が実行される。
【００２８】
図２において、操作入力装置１３の処理部（図示略：以下、操作処理部という）は、４つの基操作ボタン１３１〜１３４のいずれかが操作されたか否かを監視している（Ｓ１１）。その過程で、いずれかの基操作ボタンの操作がなされると（Ｓ１１でＹＥＳ）、操作処理部は、その操作された基操作ボタンを認識する（Ｓ１２）。このとき、操作された基操作ボタンについての情報が操作入力装置１３から処理ユニット１１に供される。
【００２９】
以下、例えば、図３乃至図８に示すように、ナビゲーションに関する機能が割り当てられた基操作ボタン１３２（Ｎａｖｉ）が、右手ＨＤの親指ＴＭにてプッシュ操作された場合について、説明する。
【００３０】
操作処理部は、前述したように操作された基操作ボタン１３２について認識すると（Ｓ１２）、その基操作ボタン１３２のプッシュ操作が維持されていることを確認しつつ（Ｓ１３でＹＥＳ）、表示部１２の画面１２ａがタッチされたか否かの判定（Ｓ１４）を繰り返し実行する。その過程で、例えば、図３に示すように、利用者が、右手ＨＤの親指ＴＭにて基操作ボタン１３２のプッシュ操作を行いつつ、親指ＴＭを支点にして動かすことのできる、他の指、例えば、人差し指ＦＦで表示部１２の画面１２ａをタッチすると、タッチパネル１３ａからの情報に基づいて、操作処理部は、画面１２ａにおいてタッチがなされたと判定し（Ｓ１４でＹＥＳ）、更に、タッチパネル１３ａからのタッチ位置の情報に基づいてそのタッチされた位置Ｐｔを認識する（Ｓ１５）。
【００３１】
操作処理部は、画面１２ａにてタッチされた位置Ｐｔを基準タッチ位置Ｐｔとし、その基準タッチ位置Ｐｔに対して所定の位置関係にある４つの位置に操作部を設定する（Ｓ１６：操作部設定手段）。例えば、図３に示すように、基準タッチ位置Ｐｔにて直角に交差し、矩形形状の画面１２ａの横方向及び縦方向に延びる２つの直線Ｌ１、Ｌ２のうち、横方向に延びる直線Ｌ１上の基準タッチ位置Ｐｔを挟む所定の位置に２つの操作部Ｓ１、Ｓ３が設定され、縦方向に延びる直線Ｌ２上の基準タッチ位置Ｐｔを挟む所定の位置に２つの操作部Ｓ２、Ｓ４が設定される。
【００３２】
操作処理部は、設定した４つの操作部Ｓ１、Ｓ２、Ｓ３、Ｓ４それぞれの画面１２ａ上での位置を表す位置情報を処理ユニット１１に送る。処理ユニット１１は、操作されている基操作ボタン１３２がナビゲーションに関する機能に割り当てられていることに基づいて、４つの操作部Ｓ１、Ｓ２、Ｓ３、Ｓ４の位置情報に対してナビゲーションに関する機能を対応づける。例えば、操作部Ｓ１の位置情報に音声案内の機能を対応付け、操作部Ｓ２の位置情報に渋滞案内の機能を対応付け、操作部Ｓ３の位置情報に地点登録の機能を対応付け、また、操作部Ｓ４の位置情報に経路消去の機能を対応づける。処理ユニット１１は、表示部１２の画面１２ａにおける各操作部Ｓ１、Ｓ２、Ｓ３、Ｓ４に対応した位置に、例えば、図３に示すように、楕円の中に機能を表す文字（音声、渋滞、登録、消去）を記した操作部マークを表示させる。
【００３３】
図２に戻って、上述したように表示部１２の画面１２ａに操作部Ｓ１、Ｓ２、Ｓ３、Ｓ４を表す４つの操作部マークが表示された状態で、操作処理部は、基操作ボタン１３２のプッシュ操作が維持されていることを確認しつつ（Ｓ１７）、表示部１２に設定された４つの操作部Ｓ１、Ｓ２、Ｓ３、Ｓ４のいずれかのタッチ操作がなされたか否かの判定（Ｓ１８）を繰り返し実行する。その過程で、例えば、図４に示すように、利用者が、右手ＨＤの親指ＴＭにて基操作ボタン１３２のプッシュ操作を行いつつ、親指ＴＭを支点にして動かすことのできる、例えば、人差し指ＦＦにて操作部Ｓ２のタッチ操作を行うと、タッチパネル１３ａからの情報に基づいて、操作処理部は、画面１２ａにおいて操作部の操作がなされたと判定し（Ｓ１８でＹＥＳ）、更に、タッチパネル１３ａからのタッチ位置の情報に基づいて、操作部Ｓ２が操作されたことを認識する（Ｓ１９）。すると、操作処理部は、そのタッチ操作のなされた操作部Ｓ２の画面１２ａ上での位置を表す位置情報に対応付けられた操作情報、具体的には、操作部Ｓ２の位置情報を含む操作情報、を操作入力装置１３から出力させる（Ｓ２０）。
【００３４】
操作入力装置１３から出力された操作情報は、処理ユニット１１に供される。処理ユニット１１は、操作入力装置１３からの操作情報に含まれる操作部Ｓ２（渋滞）の位置情報に対応付けられた機能が渋滞案内の機能であることを確認すると、例えば、ＶＩＣＳ（登録商標）交通情報に基づいて、自車位置から目的地までの経路における渋滞に関する情報を、表示部１２の画面１２ａに表示させ、あるいは、その渋滞に関する情報を音声メッセージとしてスピーカ１６から出力させる。
【００３５】
また、操作処理部が、基操作ボタン１３２のプッシュ操作が維持されていることを確認しつつ（Ｓ１７）、表示部１２に設定された４つの操作部Ｓ１、Ｓ２、Ｓ３、Ｓ４のいずれかのタッチ操作がなされたか否かの判定（Ｓ１８）を繰り返し実行する過程で、例えば、図５に示すように、利用者が、右手ＨＤの親指ＴＭにて基操作ボタン１３２のプッシュ操作を行いつつ、親指ＴＭを支点にして動かすことのできる人差し指ＦＦにて操作部Ｓ３のタッチ操作を行うと、操作処理部は、前述したのと同様の処理（Ｓ１８でＹＥＳ、Ｓ１９、Ｓ２０）を実行する。それにより、操作入力装置１３から、タッチさ操作のなされた操作部Ｓ３の位置情報を含む操作情報が処理ユニット１１に出力される。
【００３６】
この場合、処理ユニット１１は、操作入力装置１３からの操作情報に含まれる操作部Ｓ３（登録）の位置情報に対応付けられた機能が地点登録の機能であることを確認すると、表示部１２の画面１２ａに表示される道路地図上での地点登録に係る処理を実行する。
【００３７】
また、操作処理部が、基操作ボタン１３２のプッシュ操作が維持されていることを確認しつつ（Ｓ１７）、表示部１２に設定された４つの操作部Ｓ１、Ｓ２、Ｓ３、Ｓ４のいずれかのタッチ操作がなされたか否かの判定（Ｓ１８）を繰り返し実行する過程で、例えば、図６に示すように、利用者が、右手ＨＤの親指ＴＭにて基操作ボタン１３２のプッシュ操作を行いつつ、親指ＴＭを支点にして動かすことのできる人差し指ＦＦにて操作部Ｓ４のタッチ操作を行うと、操作処理部は、前述したのと同様の処理（Ｓ１８でＹＥＳ、Ｓ１９、Ｓ２０）を実行する。それにより、操作入力装置１３から、タッチ操作のなされた操作部Ｓ４の位置情報を含む操作情報が処理ユニット１１に出力される。
【００３８】
この場合、処理ユニット１１は、操作入力装置１３からの操作情報に含まれる操作部Ｓ４（消去）の位置情報に対応付けられた機能が経路消去の機能であることを確認すると、現在設定されている目的地までの経路を消去して、経路案内の処理を終了させる。
【００３９】
更に、操作処理部が、基操作ボタン１３２のプッシュ操作が維持されていることを確認しつつ（Ｓ１７）、表示部１２に設定された４つの操作部Ｓ１、Ｓ２、Ｓ３、Ｓ４のいずれかのタッチ操作がなされたか否かの判定（Ｓ１８）を繰り返し実行する過程で、例えば、図７に示すように、利用者が、右手ＨＤの親指ＴＭにて基操作ボタン１３２のプッシュ操作を行いつつ、親指ＴＭを支点にして動かすことのできる人差し指ＦＦにて操作部Ｓ１のタッチ操作を行うと、操作処理部は、前述したのと同様の処理（Ｓ１８でＹＥＳ、Ｓ１９、Ｓ２０）を実行する。それにより、操作入力装置１３から、タッチ操作のなされた操作部Ｓ１の位置情報を含む操作情報が処理ユニット１１に出力される。
【００４０】
この場合、処理ユニット１１は、操作入力装置１３からの操作情報に含まれる操作部Ｓ１（音声）の位置情報に対応付けられた機能が音声案内の機能であることを確認すると、例えば、直前になされたナビゲーションに係る音声案内をリピートさせるなど、音声案内に係る処理を行う。
【００４１】
図２に示す処理の過程で、利用者が、基操作ボタン１３２から親指ＴＭを離してプッシュ操作をやめると、操作処理部は、基操作ボタン１３２のプッシュ操作が維持されていない（Ｓ１３でＮＯ、Ｓ１７でＮＯ）として、新たな基操作ボタンの操作がなされたか否かを監視する状態になる（Ｓ１１）。この場合、処理ユニット１１は、表示部１２の画面１２ａに表示させた操作部マークを画面１２ａ上から消去させ、４つの操作部Ｓ１、Ｓ２、Ｓ３、Ｓ４の位置情報と機能との対応付けをクリアする。
【００４２】
操作入力装置１３の操作処理部は、以後、基操作ボタンのプッシュ操作がなされて、そのプッシュ操作が維持されると、同様の処理（Ｓ１２〜Ｓ２０）を実行する。それにより、操作入力装置１３では、基操作ボタンのプッシュ操作がなされつつ表示部１２の画面１２ａがタッチされると、画面１２ａ上においてそのタッチのなされた位置が基準タッチ位置Ｐｔとなって、その基準タッチ位置Ｐｔに対し所定の位置関係にある一又は複数の位置のそれぞれに操作部が設定される。そして、前記基操作ボタンの操作がなされつつ前記設定された操作部のタッチ操作がなされると、該操作部の画面１２ａ上での位置を表す位置情報を含む操作情報が出力される。処理ユニット１１は、操作入力装置１３からの操作情報に含まれる操作された操作部の位置情報に対応付けられた処理（機能）を実行する。
【００４３】
上述したような操作入力装置１３によれば、親指ＴＭにて基操作ボタン１３２をプッシュ操作しつつ、利用者は、例えば、その基操作ボタン１３２のプッシュ操作を行う親指ＴＭを支点にして動かすことのできる、他の指、例えば、人差し指ＦＦで表示部１２の画面１２ａの基準タッチ位置Ｐｔとなるべき位置をタッチした（図３参照）感覚をもった状態で、更に、親指ＴＭを支点にして人差し指ＦＦを動かして前記タッチした位置Ｐｔ（基準タッチ位置Ｐｔ）と所定の位置関係（基準タッチ位置Ｐｔを挟む所定の位置）にある操作部Ｓ１、Ｓ２、Ｓ３、Ｓ４のタッチ操作を行うことができる（図４乃至図７参照）ので、表示部１２の画面１２ａ上でのタッチ操作の都度、そのタッチ操作の位置Ｐｔ（基準タッチ位置Ｐｔ）に応じて操作部の位置が変わっても、実際に視認することなく画面１２ａ上において操作部Ｓ１、Ｓ２、Ｓ３、Ｓ４の位置を感覚的に把握することがし易くなる。その結果、表示部１２の画面１２ａに設定される操作部Ｓ１、Ｓ２、Ｓ３、Ｓ４の所謂ブラインドタッチ操作がし易いものとなる。
【００４４】
なお、基準タッチ位置Ｐｔに対して図３乃至図７に示すように４つの操作部Ｓ１〜Ｓ４が設定される場合に限定されず、基準タッチ位置Ｐｔと他の位置関係にある一又は複数の操作部を設定することができる。
【００４５】
例えば、図８に示す例では、利用者が、右手ＨＤの親指ＴＭにて地図に関する機能が割り当てられた基操作ボタン１３１（Ｍａｐ）のプッシュ操作を行いつつ、その親指ＴＭを支点にして動かすことのできる人差し指ＦＦで表示部１２の画面１２ａをタッチした位置が基準タッチ位置Ｐｔとなる。その基準タッチ位置Ｐｔと基操作ボタン１３１（Ｍａｐ）とを結ぶ直線の延びる方向に延びる直線Ｌ２上の当該基準タッチ位置Ｐｔを挟む所定の位置に２つの操作部Ｓ２、Ｓ４が設定され、前記直線Ｌ２と基準タッチ位置Ｐｔにて直角に交差する直線Ｌ１上の当該基準タッチ位置Ｐｔを挟む所定の位置に２つの操作部Ｓ１、Ｓ３が設定される。更に、前記基準タッチ位置Ｐｔに操作部Ｓｏが設定される。
【００４６】
この例の場合、操作部Ｓ１及びＳ３には、例えば、前記直線Ｌ１に沿って基準タッチ位置Ｐｔから離れる方向（操作部マークの矢印の示す方向参照）のスクロール機能が割り当てられ、操作部Ｓ２及びＳ４には、例えば、前記直線Ｌ２に沿って基準タッチ位置Ｐｔから離れる方向（操作部マークの矢印の示す方向参照）のスクロール機能が割り当てられる。基準タッチ位置Ｐｔに設定された操作部Ｓｏには、例えば、車両の現在位置が画面１２ａの所定位置（例えば、中央位置）になるように地図を移動（スクロール）させる機能に割り当てられる。
【００４７】
このように操作部Ｓｏ、Ｓ１〜Ｓ４が設定されると、利用者は、右手ＨＤの親指ＴＭで基操作ボタン１３１（Ｍａｐ）のプッシュ操作を行いつつ、その親指ＴＭを支点にして動かすことのできる、例えば、人差し指ＦＦで、各操作部Ｓｏ、Ｓ１〜Ｓ４のタッチ操作を行うことにより、画面１２ａに表示された地図のスクロールを行うことができる。この場合、操作部Ｓ２、Ｓ４が、基操作ボタン１３１と基準タッチ位置Ｐｔとを結ぶ直線の延びる方向に延びる直線Ｌ２上に設定されるので、その基操作ボタン１３２のプッシュ操作を行う親指ＴＭを支点にして人差し指ＦＦで表示部１２の画面１２ａの基準タッチ位置Ｐｔとなるべき位置をタッチした（図３参照）感覚をもって、親指ＴＭと人差し指ＦＦとの間隔を広げることにより、操作部Ｓ２の操作が可能になり、親指ＴＭと人差し指ＦＦとの間隔を狭めることにより、操作部Ｓ２の操作が可能になる。更に、親指ＴＭと基準タッチ位置Ｐｔとなるべき位置にある人差し指ＦＦとが広げられた方向に対して直交する方向に人差し指ＦＦを動かすことにより操作部Ｓ１、Ｓ２の操作が可能なる。従って、表示部１２の画面１２ａ上でのタッチ操作の都度、そのタッチ操作の位置Ｐｔ（基準タッチ位置Ｐｔ）に応じて操作部の位置が変わっても、実際に視認することなく画面１２ａ上において操作部Ｓ１、Ｓ２、Ｓ３、Ｓ４の位置を更に感覚的に把握することがし易くなる。その結果、表示部１２の画面１２ａに設定される操作部Ｓ１、Ｓ２、Ｓ３、Ｓ４の所謂ブラインドタッチ操作が更にし易くなる。
【００４８】
例えば、図９に示す例では、利用者が、右手ＨＤの親指ＴＭにて動作モードに応じた２つの機能が動的に割り当てられる基操作ボタン１３４（ＵＰ／ＤＮ）のプッシュ操作を行いつつ、その親指ＴＭを支点にして動かすことのできる人差し指ＦＦで表示部１２の画面１２ａをタッチした位置が基準タッチ位置Ｐｔとなる。その基準タッチ位置ｐｔを通る画面１２ａの横方向に延びる直線Ｌ上の当該基準タッチ位置Ｐｔを挟む所定の位置に２つの操作部Ｓ１、Ｓ２が設定される。ナビゲーションモードの場合、例えば、操作部Ｓ１に地図の拡大機能が割り当てられ、操作部Ｓ２に地図の縮小機能が割り当てられる。
【００４９】
このように２つの操作部Ｓ１、Ｓ２が設定されると、利用者は、右手ＨＤの親指ＴＭで操作ボタン１３４（ＵＰ／ＤＮ）のプッシュ操作を行いつつ、その親指ＴＭを支点にして動かすことのできる、例えば、人差し指ＦＦで各操作部Ｓ１、Ｓ２のタッチ操作を行うことにより、画面１２ａに表示された地図を拡大させ、また、縮小させることができる。
【００５０】
この場合においても、利用者は、例えば、基操作ボタン１３４の操作を行う親指ＴＭを支点にして動かすことのできる、人差し指ＦＦで表示部１２の画面１２ａの基準タッチ位置Ｐｔとなるべき位置をタッチした感覚をもった状態で、更に、親指ＴＭを支点にして人差し指ＦＦを動かして前記タッチした位置（基準タッチ位置Ｐｔ）と所定の位置関係（基準タッチ位置Ｐｔを挟んで横方向に並ぶ２つの位置）にある操作部Ｓ１、Ｓ２のタッチ操作を行うことができるので、表示部の画面上でのタッチ操作の都度、そのタッチ操作の位置（基準タッチ位置Ｐｔ）に応じて操作部の位置が変わっても、実際に視認することなく画面１２ａ上において操作部の位置を把握することがし易くなる。
【００５１】
なお、基準タッチ位置Ｐｔに対して所定の位置関係にある４つの操作部、５つの操作部、及び２つの操作部が設定された例について説明したが、設定される操作部の数はこれに限定されず、６つ以上であっても、１つであってもよい。また、設定される各操作部の基準タッチ位置Ｐｔに対する位置関係は、前述した例に限定されることなく、１つの指（親指ＴＭに限られない）で基操作ボタンを操作しつつ、他の指（人差し指ＦＦに限られない）で操作可能な位置関係に、人間工学的に決めることができる。
【産業上の利用可能性】
【００５２】
以上、説明したように、本発明に係る操作入力装置は、表示部の画面上でのタッチ操作の都度、そのタッチ操作の位置に応じて操作部の位置が変わっても、実際に視認することなく画面上において操作部の位置を把握することがし易いという効果を有し、所謂タッチパネル式の操作入力装置として有用である。
【符号の説明】
【００５３】
１１  処理ユニット
１２  表示部
１２ａ  画面
１３  操作入力装置
１３ａ  タッチパネル
１４  記憶部
１５  出力回路
１６  スピーカ
１７  ＡＶユニット
１８  ナビゲーションユニット
１００  車載機器
１３１、１３２、１３３、１３４  基操作ボタン
【図１】
2013257688.tif 000003
【図２】
2013257688.tif 000004
【図３】
2013257688.tif 000005
【図４】
2013257688.tif 000006
【図５】
2013257688.tif 000007
【図６】
2013257688.tif 000008
【図７】
2013257688.tif 000009
【図８】
2013257688.tif 000010
【図９】
2013257688.tif 000011